(57)【要約】      （修正有）【課題】廃棄する際に簡単な操作で嵩張らないように処置して廃棄できる発泡スチロール製容器を提供する。【解決手段】底面及び底面の周縁から立設された側壁を有する容器部分と、容器部分の周縁から外方に延設された顎部１ｂと、を有し、使用後に廃棄する際に発泡スチロール製容器を２分割するための脆弱部６と、生じた２個の断片を相互に係合するための係合部とを設けて発泡スチロール製容器を形成する。さらに、脆弱部６は、発泡スチロール製容器の表面部分に線状に形成し、係合部は、一方の断片の顎部１ｂに形成された一対の係合片と、脆弱部６を挟んで係合片と対向し同じ幅を有し相互に係合するように、他方の断片の顎部１ｂに形成された切り欠き部と、から形成する。【選択図】図１
0003169525.tif 000002
【実用新案登録請求の範囲】
【請求項１】
底面及び前記底面の周縁から立設された側壁を有する容器部分と、前記容器部分の周縁から外方に延設された顎部と、を有し、前記容器部分に食品を収容して陳列するための発泡スチロール製容器であって、
廃棄する際に２分割するための脆弱部と、２分割により生じた２個の断片を相互に係合するための係合部と、を備え、
前記脆弱部は、前記発泡スチロール製容器の表面部分に線状に形成され、
前記係合部は、前記脆弱部を挟んで一方の顎部には、一対の係合片を形成するための４箇所の切り込みが設けられ、他方の顎部には、前記係合片が嵌め込まれる切り欠き部を形成するための一対の切り取り部が設けられることを特徴とする発泡スチロール製容器。
【請求項２】
前記脆弱部の表面にフィルムが設けられ、前記フィルムを剥がすことで前記脆弱部での分割が実施されるように構成されていることを特徴とする請求項１に記載の発泡スチロール製容器。
【考案の詳細な説明】
【技術分野】
【０００１】
本考案は、食品を陳列するために使用される発泡スチロール製容器に係り、より詳細には、使用後に嵩張らないように処置して廃棄することができる発泡スチロール製容器に関する。
【背景技術】
【０００２】
本考案の発泡スチロール製の容器は、商品を収容する空間を有し、上面が開放された発泡スチロール製の容器であって、上面を透明なプラスチックフィルムで覆って使用されることが多い。商品の内容を展示できることから、食品等の商品の容器として多用されている。
しかし、発泡スチロール製容器は、商品を収容する空間を有する部材であることから、廃棄する場合は膨大な嵩のゴミとなっている。このような事情から、発泡スチロール製の容器の廃棄は、手で割ったり、折り曲げたり、ハサミで切り刻んだりして、出来るだけ容積を小さくして廃棄するように指導されている。しかし、手で割るには相応の力が必要であり、何時でも手元にハサミがあるものでもないことから、結局、嵩張ったままの容器が、そのまま廃棄されているのが実状である。
発泡スチロール製の容器を廃棄する際に嵩張ることの不都合を改善するものとして、使用時に枠材と底板を組立てる発泡スチロール製の容器が開示されている（例えば特許文献１を参照）。この容器は、組み立てられるまでは容器が嵩張らないので、容器の搬入コストが削減でき、使用後に分解することによって、容器が嵩張らないようにでき、容器を廃棄するコストが削減でき、且つ、現場で有効利用空間を拡大させることが出来る。しかし、この容器は、使用時に容器を組立てなければ使用できないという煩わしさがある。
【先行技術文献】
【特許文献】
【０００３】
【特許文献１】特開平１０−７７０３２号公報
【考案の概要】
【考案が解決しようとする課題】
【０００４】
本考案は、一体成形された発泡スチロール製容器であっても、簡単な操作で嵩張らないようにして廃棄できる発泡スチロール製容器を提供することを課題とする。
【課題を解決するための手段】
【０００５】
上記課題を解決するための本考案の発泡スチロール製容器は、底面及び底面の周縁から立設された側壁を有する容器部分と、容器部分の周縁から外方に延設された顎部と、を有し、容器部分に食品を収容して陳列するための発泡スチロール製容器であって、廃棄する際に２分割するための脆弱部と、２分割により生じた２個の断片を相互に係合するための係合部と、を備え、
前記脆弱部は、発泡スチロール製容器の表面部分に線状に形成され、前記係合部は、脆弱部を挟んで一方の顎部に、一対の係合片を形成するための４箇所の切り込みが設けられ、他方の顎部に、係合片が嵌め込まれる切り欠き部を形成するための一対の切り取り部が設けられることを特徴とする。
また本考案は、脆弱部の表面にフィルムが設けられ、フィルムを剥がすことで脆弱部での分割が実施されるように構成されることができる。
【考案の効果】
【０００６】
本考案による発泡スチロール製容器は、脆弱部を設けたことにより、廃棄する際に脆弱部から容易に２分割することができる。発泡スチロール製容器をは、分割することによって嵩張らないようにして廃棄することができる。
また本考案による発泡スチロール製容器は、容器の顎部に相互に係合する係合部を設けたので、生じた容器の断片を重ね合わせて束ねることによって、更に嵩を減らして廃棄することができる。
【０００７】
更に本考案の他の実施形態による発泡スチロール製容器は、外面にフィルムが設けられ、フィルムを剥がされることで脆弱部での分割が実施されるので、容器が丈夫になり、印刷可能になり、容器の分割が容易になり、且つ発泡スチロールを割った際に発生する微細な分割片が飛び散るのを防止できる。
【図面の簡単な説明】
【０００８】
【図１】本考案の１実施形態による発泡スチロール製容器に食品を収容した状態を示す図である。
【図２】本考案の１実施形態による発泡スチロール製容器の係合部を形成した状態の図である。
【図３】本考案の発泡スチロール製容器を脆弱部から分割し重ね合わせて係合部で束ねた状態の図である。
【考案を実施するための形態】
【０００９】
本考案の発泡スチロール製容器１について、添付した図面を参照して詳細に説明する。
図１は、本考案の１実施形態による発泡スチロール製容器に食品を収容した状態を示す図である。図１に示すように、本考案の発泡スチロール製容器１は底面と底面の周縁から側壁を立設させて形成した容器部分１ａと、容器部分１ａの周縁から外側に張り出させた顎部１ｂと、が設けられて、容器部分１ａに食品Ａを収容できるように形成されている。
【００１０】
容器部分１ａの中央部には、表面部分を断続的に切り込んで形成された脆弱部６が設けられている。この断続的な切り込みは、食品Ａを収容して運搬できる強度が維持できるように形成される。形成方法の一例として、回転可能な円盤の外周に、間隔をあけて刃を設けた回転カッター等で、切り込みの程度を調節しながら脆弱部６を形成する方法を挙げることができる。脆弱部６を形成する方法は、切り込みを形成する方法に限定されるものでなく、高周波を照射して部分的に熱変性させる方法で形成してもよい。
【００１１】
上述したような脆弱部６を設けた発泡スチロール製容器１は、商品Ａを取り出した後に廃棄する際に、例えお年寄りや力の弱い女性であっても、発泡スチロール製容器１を手で容易に２分割して嵩を減らすことができる。そして、生じた容器の断片は重ねて束ねることができるので、廃棄物の嵩を更に減らすことができる。
図１には、脆弱部６を発泡スチロール製容器１の中央部に線状に設けて２分割する例を示しているが、例えば、発泡スチロール製容器１を４分割できるようにすることも、適宜実施可能である。
【００１２】
廃棄物の嵩を減らすためには、出来るだけ細かく分割するほうがよい。しかし、発泡スチロール製容器１の強度は、食品Ａを載置して運搬できる強度に維持する必要があるので、粉々に割れるように脆弱部６を形成することはできない。
他方、発泡スチロール製容器１は、２分割して重ねても、そのままではごみ袋の中でばらばらになり、納まりが悪くなることがある。この為、本考案の発泡スチロール製容器１は、生じた断片を相互に係合する係合部８が更に設けられている。
係合部８は、脆弱部６を挟んで一方の顎部１ｂに設けられた、一対の係合片５を形成するための４箇所の切り込み２と、他方の顎部１ｂに設けられた、係合片５が嵌め込まれる切り欠き部３を形成するための一対の切り取り部４と、を有する。
切り取り部４は、他方の顎部１ｂに、係合片５と対向し同じ幅の４箇所の切り込みを入れて設けられる。切り取り部４の根元は、切り取れるように切り込みが入れられている。
食品Ａを収容し透明フィルム７に覆われた状態では、切り取り部４を顎部１ｂから取り除かずに保持させておく。
【００１３】
図２は、本考案の１実施形態による発泡スチロール製容器の係合部を係合可能な状態にした図である。図２に示すように、発泡スチロール製容器１を廃棄する際には、透明フィルム７を取り去って食品Ａを取り出した後に、一方の顎部に設けた４箇所の切り込み２から一対の係合片５を形成し、他方の顎部に設けた切り取り部４を取り除いて一対の切り欠き部３を形成する。
【００１４】
図３は、本考案の発泡スチロール製容器を脆弱部から分割し断片を重ね合わせて係合部で束ねた状態の図である。図３に示すように、発泡スチロール製容器１を脆弱部６から２分割し、生じた断片９を重ね合わせて一対の係合片５を一対の切り欠き部３に嵌め込んで、互いに重ね合わせて嵩張らないようにして廃棄する。
【００１５】
脆弱部６には、ある程度の強度が要求される。同時に、力の弱い女性もしくは老人でも手で容易に割れるようなものである必要がある。このため、製造時に脆弱部６を容易に割れるように形成し、発泡スチロール製容器１の外面にフィルムを貼り付けてもよい。このようにすることで、発泡スチロール製容器１は、通常の使用に充分耐えられる強度にすることができる。
【００１６】
一方、フィルムを剥がすことで脆弱部での分割が容易にできるようになる。そして、分割された断片９は重ねて束ねられるようになるので、ハサミがなくても、発泡スチロール製容器１を嵩張らないようにして廃棄できるようになる。尚、フィルムは、容器１の全面に貼られていても、脆弱部６の周囲だけに貼られていてもよい。そして、フィルムを剥がすことで脆弱部での分割ができるようになると、発泡スチロール製容器１を割った際に発生する微細な破片が飛び散ることもなくなる。フィルムにゴミの減量に協力を依頼するメッセージが記載されていると、その宣伝効果が向上する。
【符号の説明】
【００１７】
１    発泡スチロール製容器
１ａ  容器部分
１ｂ  顎部
２    切り込み
３    切り欠き部
４    切り取り部
５    係合片
６    脆弱部
７    透明フィルム
８    係合部
９    断片
【図１】
0003169525.tif 000003
【図２】
0003169525.tif 000004
【図３】
0003169525.tif 000005